(57)【要約】【課題】操作性を向上させて遮蔽材の開閉操作可能とする遮蔽装置を提供する。【解決手段】本発明の遮蔽装置（例えば、ロールスクリーン）は、遮蔽材（ロールスクリーンの例ではスクリーン５）を開閉操作可能とし、遮蔽材を直接的に巻き上げ又は巻き戻すための巻取軸６（遮蔽材を開閉させるための開閉コードを巻き上げ又は巻き戻すための巻取軸でもよい。）と、巻取軸６の回転を操作するための操作装置９と、を備える。操作装置９は、当該遮蔽装置の前側及び後側の両側で操作可能に操作プーリー９３から垂下させる一対の操作コード７Ａ，７Ｂと、操作プーリー９３に対して当該一対の操作コードを巻き付ける方向に常に付勢する付勢部材９２と、操作プーリー９３の一方向の回転のみを巻取軸６に伝達するクラッチ部９４と、を備える。また、本発明による別態様の遮蔽装置は、遮蔽材の閉操作用の第１及び第２の操作装置９Ｒ，９Ｌを備える。【選択図】図１
2020084468.tif 000002
【特許請求の範囲】
【請求項１】
遮蔽材を開閉操作可能とする遮蔽装置であって、
前記遮蔽材を直接的に巻き上げ又は巻き戻すための、或いは前記遮蔽材を開閉させるための開閉コードを巻き上げ又は巻き戻すための巻取軸と、
前記巻取軸の回転を操作するための操作装置と、を備え、
前記操作装置は、
操作プーリーと、
前記操作プーリーにそれぞれ一端を接続し他端を当該遮蔽装置の前側及び後側の両側で操作可能に垂下させる一対の操作コードと、
前記操作プーリーに対して前記一対の操作コードを巻き付ける方向に常に付勢する付勢部材と、
前記操作プーリーの一方向の回転のみを前記巻取軸に伝達するクラッチ部と、
を備えることを特徴とする遮蔽装置。
【請求項２】
前記操作装置は、前記一対の操作コードのうち一方の操作コードの引き操作で他方の操作コードが前記操作プーリーから巻き戻され、前記一対の操作コードが同時に降下するように作動することを特徴とする、請求項１に記載の遮蔽装置。
【請求項３】
前記遮蔽材を開状態又は閉状態とするよう前記巻取軸を付勢する付勢機構と、
前記付勢機構の作動を停止するよう作動するストッパ部と、を備え、
前記操作装置は、前記一対の操作コードのうちいずれか一方の引き操作で前記ストッパ部の作動開始及び作動解除を切り替えるように構成されていることを特徴とする、請求項１又は２に記載の遮蔽装置。
【請求項４】
遮蔽材を開閉操作可能とする遮蔽装置であって、
前記遮蔽材を直接的に巻き上げ又は巻き戻すための、或いは前記遮蔽材を開閉させるための開閉コードを巻き上げ又は巻き戻すための巻取軸と、
前記巻取軸の一方向の回転を操作するための第１の操作コードを垂下させる第１の操作装置と、
前記巻取軸の他方向の回転を操作するための第２の操作コードを垂下させる第２の操作装置と、を備え、
前記第１の操作装置における前記一対の第１の操作コードが前記遮蔽材の閉操作用として構成され、前記第２の操作装置における前記一対の第２の操作コードが前記遮蔽材の開操作用として構成されていることを特徴とする遮蔽装置。
【請求項５】
前記第１の操作装置は、第１の操作プーリー、前記第１の操作プーリーにそれぞれ一端を接続し他端を当該遮蔽装置の前側及び後側の両側で操作可能に垂下させる一対の第１の操作コード、前記第１の操作プーリーに対して前記一対の第１の操作コードを巻き付ける方向に常に付勢する第１の付勢部材、及び前記第１の操作プーリーの一方向の回転のみを前記巻取軸に伝達する第１のクラッチ部を有し、
前記第２の操作装置は、第２の操作プーリー、前記第２の操作プーリーにそれぞれ一端を接続し他端を当該遮蔽装置の前側及び後側の両側で操作可能に垂下させる一対の第２の操作コード、前記第２の操作プーリーに対して前記一対の第２の操作コードを巻き付ける方向に常に付勢する第２の付勢部材、及び前記第１の操作プーリーの一方向の回転とは逆方向となる前記第２の操作プーリーの一方向の回転のみを前記巻取軸に伝達する第２のクラッチ部を有することを特徴とする、請求項４に記載の遮蔽装置。
【発明の詳細な説明】
【技術分野】
【０００１】
本発明は、遮蔽材を開閉操作可能とする遮蔽装置に関する。
【背景技術】
【０００２】
従来、遮蔽材を左右方向に、或いは上下方向に開閉するための操作装置を有する遮蔽装置が知られている。例えば、遮蔽材を左右方向に開閉するための操作装置を有する遮蔽装置の例として間仕切り装置、縦型ブラインド、或いはカーテンレール等があり、遮蔽材を上下方向に開閉するための操作装置を有する遮蔽装置の例としてロールスクリーン、横型ブラインド、たくし上げカーテン、或いはプリーツスクリーン等がある。
【０００３】
これら種々の遮蔽装置のうち、遮蔽材を開閉させるための昇降コードや牽引コード等の開閉コードを操作コードとして外部導出し、直引き操作して遮蔽材を開閉可能とする操作装置を有するものがある。
【０００４】
一例として、遮蔽材を開閉するための開閉コードを操作コードとして直引き操作して遮蔽材を開閉する間仕切り装置が知られている（例えば、特許文献１参照）。
【０００５】
特許文献１に開示される間仕切り装置は、遮蔽材を開閉するための開閉コードを操作コードとして、遮蔽材に対して室内側及び室外側に外部導出する操作装置を有しており、遮蔽材に対して室内外から操作できるようにしている。
【０００６】
一方、種々の遮蔽装置のうち、遮蔽材を直接的に巻き上げ又は巻き戻すための巻取軸を有するか、或いは遮蔽材を開閉させるための昇降コードや牽引コード等の開閉コードを巻き上げ又は巻き戻すための巻取軸を有するものがある。そして、このような遮蔽装置に設けられる操作装置は操作プーリーに掛装される操作コードを有し、その操作コードの操作で遮蔽材の開閉に係る巻取軸を回転操作し、遮蔽材を開閉させることができる。
【先行技術文献】
【特許文献】
【０００７】
【特許文献１】特開２０１５−２１１７０１号公報
【発明の概要】
【発明が解決しようとする課題】
【０００８】
上述したように、特許文献１に開示される間仕切り装置は、遮蔽材を開閉するための開閉コードを操作コードとして、遮蔽材に対して室内側及び室外側に外部導出する操作装置を有しており、遮蔽材に対して室内外から操作できるようにしている。
【０００９】
しかし、この特許文献１に開示される操作装置は、遮蔽材を直接的に巻き上げ又は巻き戻すための巻取軸を有するか、或いは遮蔽材を開閉させるための昇降コードや牽引コード等の開閉コードを巻き上げ又は巻き戻すための巻取軸を有する遮蔽装置に対して適用することができない。
【００１０】
特に、特許文献１に開示される操作装置は、遮蔽材を全開（又は全閉）とするには、直引きのため操作コードを引き続ける必要がある。
【００１１】
そこで、遮蔽材を直接的に巻き上げ又は巻き戻すための巻取軸を有するか、或いは遮蔽材を開閉させるための昇降コードや牽引コード等の開閉コードを巻き上げ又は巻き戻すための巻取軸を有する遮蔽装置において、遮蔽材に対して室内外から操作できるようにするとともに、操作コードの引き操作を繰り返し行うことができるようにして、遮蔽材の開閉操作に係る操作性を向上させる技法が望まれる。
【００１２】
本発明の目的は、上述の問題に鑑みて、操作性を向上させて遮蔽材の開閉操作可能とする遮蔽装置を提供することにある。
【課題を解決するための手段】
【００１３】
本発明による第１態様の遮蔽装置は、遮蔽材を開閉操作可能とする遮蔽装置であって、前記遮蔽材を直接的に巻き上げ又は巻き戻すための、或いは前記遮蔽材を開閉させるための開閉コードを巻き上げ又は巻き戻すための巻取軸と、前記巻取軸の回転を操作するための操作装置と、を備え、前記操作装置は、操作プーリーと、前記操作プーリーにそれぞれ一端を接続し他端を当該遮蔽装置の前側及び後側の両側で操作可能に垂下させる一対の操作コードと、前記操作プーリーに対して前記一対の操作コードを巻き付ける方向に常に付勢する付勢部材と、前記操作プーリーの一方向の回転のみを前記巻取軸に伝達するクラッチ部と、を備えることを特徴とする。
【００１４】
また、本発明による第１態様の遮蔽装置において、前記操作装置は、前記一対の操作コードのうち一方の操作コードの引き操作で他方の操作コードが前記操作プーリーから巻き戻され、前記一対の操作コードが同時に降下するように作動することを特徴とする。
【００１５】
また、本発明による第１態様の遮蔽装置において、前記遮蔽材を開状態又は閉状態とするよう前記巻取軸を付勢する付勢機構と、前記付勢機構の作動を停止するよう作動するストッパ部と、を備え、前記操作装置は、前記一対の操作コードのうちいずれか一方の引き操作で前記ストッパ部の作動開始及び作動解除を切り替えるように構成されていることを特徴とする。
【００１６】
更に、本発明による第２態様の遮蔽装置は、遮蔽材を開閉操作可能とする遮蔽装置であって、前記遮蔽材を直接的に巻き上げ又は巻き戻すための、或いは前記遮蔽材を開閉させるための開閉コードを巻き上げ又は巻き戻すための巻取軸と、前記巻取軸の一方向の回転を操作するための第１の操作コードを垂下させる第１の操作装置と、前記巻取軸の他方向の回転を操作するための第２の操作コードを垂下させる第２の操作装置と、を備え、前記第１の操作装置における前記一対の第１の操作コードが前記遮蔽材の閉操作用として構成され、前記第２の操作装置における前記一対の第２の操作コードが前記遮蔽材の開操作用として構成されていることを特徴とする。
【００１７】
また、本発明による第２態様の遮蔽装置において、前記第１の操作装置は、第１の操作プーリー、前記第１の操作プーリーにそれぞれ一端を接続し他端を当該遮蔽装置の前側及び後側の両側で操作可能に垂下させる一対の第１の操作コード、前記第１の操作プーリーに対して前記一対の第１の操作コードを巻き付ける方向に常に付勢する第１の付勢部材、及び前記第１の操作プーリーの一方向の回転のみを前記巻取軸に伝達する第１のクラッチ部を有し、前記第２の操作装置は、第２の操作プーリー、前記第２の操作プーリーにそれぞれ一端を接続し他端を当該遮蔽装置の前側及び後側の両側で操作可能に垂下させる一対の第２の操作コード、前記第２の操作プーリーに対して前記一対の第２の操作コードを巻き付ける方向に常に付勢する第２の付勢部材、及び前記第１の操作プーリーの一方向の回転とは逆方向となる前記第２の操作プーリーの一方向の回転のみを前記巻取軸に伝達する第２のクラッチ部を有することを特徴とする。
【発明の効果】
【００１８】
本発明によれば、遮蔽材に対して室内外から操作できるようになり、且つ遮蔽材の開閉操作に係る操作性を向上させることができる
【図面の簡単な説明】
【００１９】
【図１】本発明による第１実施形態の遮蔽装置としての一例であるロールスクリーンの概略構成を示す正面図である。
【図２】本発明による第１実施形態の遮蔽装置としての一例であるロールスクリーンの概略構成を示す側面図である。
【図３】本発明による第１実施形態の遮蔽装置としての一例であるロールスクリーンにおける操作装置の概略構成を示す断面図である。
【図４】本発明による第１実施形態の遮蔽装置としての一例であるロールスクリーンにおける操作装置の概略構成を示す斜視図である。
【図５】本発明による第１実施形態の遮蔽装置としての一例であるロールスクリーンにおける操作装置の概略構成を示す分解斜視図である。
【図６】本発明による第１実施形態の遮蔽装置としての一例であるロールスクリーンにおける支持部材に対する操作装置の組み付けを示す斜視図である。
【図７】（ａ）乃至（ｃ）は、それぞれ本発明による第１実施形態の遮蔽装置としての一例であるロールスクリーンにおける操作装置の動作を示す側面断面図である。
【図８】本発明による第２実施形態の遮蔽装置としての一例であるロールスクリーンの概略構成を示す正面図である。
【図９】本発明による第２実施形態の遮蔽装置としての一例であるロールスクリーンにおける第１の操作装置の概略構成を示す断面図である。
【図１０】（ａ），（ｂ）は、それぞれ本発明による第２実施形態の遮蔽装置としての一例であるロールスクリーンにおける第２及び第１の操作装置の動作を示す側面断面図である。
【発明を実施するための形態】
【００２０】
以下、図面を参照して、本発明による各実施形態の遮蔽装置としての一例であるロールスクリーンを説明する。尚、本願明細書中、図１に示すロールスクリーンの正面図に対して、図示上方及び図示下方をそれぞれ上方向（又は上側）及び下方向（又は下側）と定義し、図示左方向をロールスクリーンの左側、及び、図示右方向をロールスクリーンの右側と定義して説明する。また、以下に説明する例では、図１に示すロールスクリーンの正面図に対して、視認する側を前側（又は室内側）、その反対側を後側（又は室外側）とする。
【００２１】
〔第１実施形態〕
（全体構成）
図１は、本発明による第１実施形態の遮蔽装置としての一例であるロールスクリーンの概略構成を示す正面図である。また、図２は、本発明による第１実施形態の遮蔽装置としての一例であるロールスクリーンの概略構成を示す側面図である。図１及び図２に示す第１実施形態のロールスクリーンは、取付ブラケット１を介して窓枠等の取付面に取着されるフレーム２の両端に支持部材３が取着され、その支持部材３に１本の巻取軸６が回転可能に支持されている。支持部材３には意匠性の観点からサイドカバー４が取着されている。
【００２２】
巻取軸６にはスクリーン５の上端部が取着され、巻取軸６により、スクリーン５を巻き取り、或いは巻き戻してスクリーン５を昇降可能としている。スクリーン５の下端部には錘部材として機能するウェイトバー１２が設けられている。
【００２３】
図１に示す右方の支持部材３には操作装置９が取着され、その操作装置９からスクリーン５の前後から操作可能に垂下させる一対の操作コード７Ａ，７Ｂが垂下されている。一対の操作コード７Ａ，７Ｂの下端にはそれぞれ第１グリップ８Ａ及び第２グリップ８Ｂが取着されている。そして、詳細は後述するが、一対の操作コード７Ａ，７Ｂの操作により、巻取軸６の回転を操作してスクリーン５を昇降可能としている。
【００２４】
本実施形態の例では、巻取軸６内にはスクリーン５を巻き上げる方向に常に付勢するスプリングモーター１０が付勢機構として収容されており、スプリングモーター１０によりスクリーン５を自動的に巻き上げるようになっている。そして、巻取軸６内にはスプリングモーター１０の作動を停止するよう作動するストッパ部１１が収容されている。操作装置９は、一対の操作コード７Ａ，７Ｂのうちいずれか一方の引き操作でストッパ部１１の作動開始及び作動解除を切り替えるように構成されている。このため、ストッパ部１１の作動解除でスクリーン５は巻取軸６に自動的に巻き上げられ、ストッパ部１１の作動開始でスプリングモーター１０の作動がロックされ、ウェイトバー１２の位置が停止しスクリーン５の上昇が防止される。
【００２５】
尚、本実施形態の遮蔽装置は、上下方向に遮蔽材を開閉させるように構成されているため、遮蔽材を開状態とするよう巻取軸６を付勢する付勢機構としてスプリングモーター１０を設けているが、例えば特許文献１に開示されるように左右方向に遮蔽材を開閉させるように構成されている遮蔽装置であるときは、遮蔽材を開状態又は閉状態のいずれか一方の状態とするよう巻取軸を付勢する付勢機構を設けた構成とすることができる。
【００２６】
図１に示す右方の支持部材３には操作装置９が取着され、その操作装置９からスクリーン５の前後から操作可能に垂下させる一対の操作コード７Ａ，７Ｂが垂下されている。そして、一対の操作コード７Ａ，７Ｂの操作により、巻取軸６の回転を操作してスクリーン５を昇降可能としている。
【００２７】
（操作装置）
図３は、本発明による第１実施形態の遮蔽装置としての一例であるロールスクリーンにおける操作装置９の概略構成を示す断面図である。また、図４は、操作装置９の概略構成を示す斜視図であり、図５は操作装置９の概略構成を示す分解斜視図である。そして、図６は、支持部材３に対する操作装置９の組み付けを示す斜視図である。
【００２８】
まず、図３乃至図５に示すように、操作装置９は支持部材３に対して組み付けられ、固定軸部材９１、ぜんまいばね９２（付勢部材）、操作プーリー９３、クラッチ部９４（ワンウェイクラッチ）、プーリーケース９５、伝達部材９６、及び軸ホルダ９７を備える。
【００２９】
特に、図５に示すように、固定軸部材９１は、その本体が支持部材３に固定される。例えば、支持部材３に設けられる一対のネジ孔３ａと対応する位置に、固定軸部材９１には一対のネジ孔９１ａが設けられており、各ネジ孔３ａ，９１ａに取付ネジ（図示せず）が螺入されることで、固定軸部材９１は支持部材３に固定される。
【００３０】
固定軸部材９１には図示左方に突出する略円筒状の固定軸９１ｂが設けられている。この固定軸９１ｂに操作プーリー９３の略円筒状の中心軸９３ｃが挿入され、操作プーリー９３が固定軸部材９１に対して回転可能に支持される。
【００３１】
操作プーリー９３は、ぜんまいばね９２を収容する空洞部が設けられ、ぜんまいばね９２の一端９２ａは、操作プーリー９３におけるぜんまいばね９２を収容する周壁の一部に形成された切欠き９３ｅに係止される（図６参照）。一方、ぜんまいばね９２の一端９２ｂは、固定軸部材９１における固定軸９１ｂに設けられた切欠き９１ｃに係止される。
【００３２】
また、操作プーリー９３には、リール部位９３ａ，９３ｂが一体となって軸方向に並列に設けられる。リール部位９３ａ，９３ｂは一体となって回転するものであり、分離したものではない。操作プーリー９３における各リール部位９３ａ，９３ｂに一対の操作コード７Ａ，７Ｂの各一端が接続され、各他端はスクリーン５の前後から操作可能に垂下されて、それぞれ第１グリップ８Ａ及び第２グリップ８Ｂが取着される。そして、ぜんまいばね９２は、操作プーリー９３に対して一対の操作コード７Ａ，７Ｂを巻き付ける方向に常に付勢するようになっている。
【００３３】
クラッチ部９４（ワンウェイクラッチ）は、操作プーリー９３の一方向の回転（一対の操作コード７Ａ，７Ｂの巻き戻し方向）のみを巻取軸６に伝達するための部材であり、図３に示すように、主要な構成要素として、固定軸部材９１に対して回転不能に固定される固定軸９４１と、操作プーリー９３の中心軸９３ｃと相対回転不能に嵌合する入力軸９４２と、入力軸９４２の一方向の回転のみを伝達して回転する出力軸９４３と、入力軸９４２の一方向の回転のみを出力軸９４３に伝達するクラッチ機能を作動させるクラッチスプリング９４４と、を備えるように構成される。
【００３４】
クラッチ部９４における固定軸９４１の一端には凸状部９４１ａが設けられており、この凸状部９４１ａが固定軸部材９１における固定軸９１ｂに穿設された軸受部９１ｄの一部に形成された凹状部９４１ｄと嵌合するように（図６参照）、当該固定軸９４１の一端が固定軸部材９１における軸受部９１ｄに係合挿入されることで、クラッチ部９４における固定軸９４１は固定軸部材９１に対して回転不能に固定される。
【００３５】
クラッチ部９４における入力軸９４２には一対の突出片９４２ａが設けられ、操作プーリー９３の中心軸９３ｃに形成される一対の凹部９３ｄと係合し、これによりクラッチ部９４における入力軸９４２は操作プーリー９３の中心軸９３ｃと相対回転不能に嵌合される。
【００３６】
クラッチ部９４における出力軸９４３は、入力軸９４２の一方向の回転のみを伝達して回転するよう構成され、クラッチスプリング９４４の作用で所謂ワンウェイクラッチとして機能するカム部（図示略）を有する。
【００３７】
尚、クラッチ部９４における出力軸９４３には、トルクリミッターとして作用する圧縮バネ９６１が設けられている（図３参照）。ただし、圧縮バネ９６１は必ずしも設けずともよい。
【００３８】
ぜんまいばね９２を収容した操作プーリー９３は、プーリーケース９５におけるケース部位９５ａ内で回転可能に支持される。また、操作プーリー９３の一方向の回転（一対の操作コード７Ａ，７Ｂの巻き戻し方向）のみを巻取軸６に伝達するクラッチ部９４はプーリーケース９５における円筒状のケース部位９５ｂ内で支持される。ケース部位９５ｂの端部にクラッチ部９４における出力軸９４３の端部が位置するようになり、その出力軸９４３の端部は伝達部材９６と相対回転不能に嵌合する。
【００３９】
軸ホルダ９７は巻取軸６の一端に固着され、プーリーケース９５におけるケース部位９５ｂに対し回転可能に軸支される。そして、伝達部材９６が軸ホルダ９７の内周壁９７ａと相対回転不能に嵌合する。即ち、クラッチ部９４における出力軸９４３の一方向の回転は、伝達部材９６及び軸ホルダ９７を介して巻取軸６に伝達される。
【００４０】
図６に示すように、プーリーケース９５におけるケース部位９５ａには、一対の操作コード７Ａ，７Ｂをそれぞれスクリーン５の前後から操作可能に垂下させるよう案内するコード案内部９５ｃ，９５ｄが設けられている。尚、本実施形態では滑車を用いて一対の操作コード７Ａ，７Ｂのそれぞれの垂下を案内するように構成していないが、コード案内部９５ｃ，９５ｄの全口近傍にそれぞれ軸孔９５ｅ，９５ｆが形成され、これら軸孔９５ｅ，９５ｆに対応する位置で固定軸部材９１にも軸孔９１ｅ，９１ｆが形成されているため、各軸孔９５ｅと軸孔９１ｅで軸支される滑車（図示せず）、及び各軸孔９５ｆと軸孔９１ｆで軸支される滑車（図示せず）を設けて、一対の操作コード７Ａ，７Ｂのそれぞれの移動をスムーズにするよう構成することもできる。尚、コード案内部９５ｃの変形例として、図６の破線丸内に示すように、コード案内部９５ｃは操作コード７Ａの移動を滑らかにするスロープを有するものとしてもよい。
【００４１】
そして、図６に示すように、ぜんまいばね９２を収容した操作プーリー９３が、プーリーケース９５におけるケース部位９５ａ内で回転可能に支持された状態では、ぜんまいばね９２は、操作プーリー９３に対して一対の操作コード７Ａ，７Ｂを巻き付ける方向（図示Ａ方向）に常に付勢するようになっている。そして、一対の操作コード７Ａ，７Ｂのいずれを引き操作しても操作プーリー９３は巻き戻す方向（図示Ｂ方向）に回転し、操作プーリー９３が図示Ｂ方向に回転するときのみ、クラッチ部９４の作用で、その操作プーリー９３の回転が巻取軸６に伝達する。
【００４２】
（全体動作）
図７（ａ）乃至（ｃ）は、本発明による第１実施形態の遮蔽装置としての一例であるロールスクリーンにおける操作装置９の動作を示す側面断面図である。
【００４３】
まず、図７（ａ）に示すように、第１グリップ８Ａの引き操作で操作コード７Ａを操作装置９から引き出すと、ぜんまいばね９２の付勢力に抗して、図示する方向に操作プーリー９３が回転し、操作コード７Ｂも操作プーリー９３から巻き戻されて第２グリップ８Ｂも降下しながら、クラッチ部９４の作用で操作プーリー９３の回転が巻取軸６に伝達されて、スクリーン５が閉状態へ移行しウェイトバー１２が降下する。
【００４４】
続いて、図７（ａ）の状態から、図７（ｂ）に示すように、第１グリップ８Ａを手放すと、ぜんまいばね９２の付勢力によって操作コード７Ａが操作プーリー９３に巻き上げられると同時に操作コード７Ｂも操作プーリー９３に巻き上げられるが、クラッチ部９４の作用で操作プーリー９３の回転が巻取軸６に伝達されず、ストッパ部１１によるロック動作でスプリングモーター１０の作動も停止され、ウェイトバー１２の位置は停止したままである。
【００４５】
このため、操作者は、姿勢を変えることなく第１グリップ８Ａに手が届く範囲で、図７（ａ），（ｂ）に示す操作を繰り返すことで、ウェイトバー１２を所望位置まで降下させることができるので、スクリーン５の閉操作が容易になる。
【００４６】
そして、図７（ｂ）の状態から、図７（ｃ）に示すように、第１グリップ８Ａを少し引いて手放すと（第２グリップ８Ｂも同様に動く。）、ストッパ部１１によるロック動作が解除され、スプリングモーター１０の作動が開始し、巻取軸６にスクリーン５が巻き上げられ、スクリーン５が開状態へ移行しウェイトバー１２が上昇する。
【００４７】
このため、操作者は、姿勢を変えることなく第１グリップ８Ａに手が届く範囲で、ウェイトバー１２を所望位置まで上昇させることができるので、スクリーン５の開操作が容易になる。
【００４８】
そして、上記のように、第１グリップ８Ａの操作で第２グリップ８Ｂも同様に動くことから、第２グリップ８Ｂの操作で第１グリップ８Ａも同様に動くことになり、第２グリップ８Ｂの操作を行う場合も図７に示すものと同様となる。
【００４９】
従って、本実施形態によれば、遮蔽材（本例では、スクリーン）を直接的に巻き上げ又は巻き戻すための巻取軸６を有する遮蔽装置（本例では、ロールスクリーン）において、遮蔽材に対して室内外から操作できるようになり、且つ遮蔽材の開閉操作に係る操作性を向上させることができる。
【００５０】
また、遮蔽材（本例では、スクリーン）を直接的に巻き上げ又は巻き戻すための巻取軸６を有する遮蔽装置の代わりに、遮蔽材を開閉させるための昇降コードや牽引コード等の開閉コードを巻き上げ又は巻き戻すための巻取軸を有する遮蔽装置において本発明に係る操作装置９を適用することで、遮蔽材に対して室内外から操作できるようになり、且つ遮蔽材の開閉操作に係る操作性を向上させることができる。通常、横型ブラインド等に設けられる、このような開閉コードを巻き上げ又は巻き戻すための巻取軸には駆動軸が相対回転不能に挿通されており、この駆動軸に対し、上述した操作装置９におけるクラッチ９４の出力軸９４３を相対回転不能に連結するように、上述した伝達部材９６を変形適用すればよい。
【００５１】
〔第２実施形態〕
（全体構成）
図８は、本発明による第２実施形態の遮蔽装置としての一例であるロールスクリーンの概略構成を示す正面図である。尚、図８において、第１実施形態と同様な構成要素には同一の参照番号を付している。
【００５２】
図８に示す第２実施形態のロールスクリーンは、第１実施形態と同様に、取付ブラケット１を介して窓枠等の取付面に取着されるフレーム２の両端に支持部材３が取着され、その支持部材３に１本の巻取軸６が回転可能に支持されている。支持部材３には意匠性の観点からサイドカバー４が取着されている。
【００５３】
また、第１実施形態と同様に、巻取軸６にはスクリーン５の上端部が取着され、巻取軸６により、スクリーン５を巻き取り、或いは巻き戻してスクリーン５を昇降可能としている。スクリーン５の下端部には錘部材として機能するウェイトバー１２が設けられている。
【００５４】
そして、図８に示す右方の支持部材３には、第１実施形態における操作装置９と同様に構成される第１の操作装置９Ｒが取着され（図１０（ｂ）参照）、その操作装置９Ｒからスクリーン５の前後から操作可能に垂下させる一対の操作コード７Ａ，７Ｂが垂下されている。第１の操作装置９Ｒにおける一対の操作コード７Ａ，７Ｂの下端にはそれぞれ第１グリップ８Ａ及び第２グリップ８Ｂが取着されている。ただし、本実施形態では、第１の操作装置９Ｒにおける一対の操作コード７Ａ，７Ｂの操作により、巻取軸６の回転を操作してスクリーン５を「降下」操作可能としている。
【００５５】
一方、図８に示す左方の支持部材３には、第１実施形態における操作装置９と同一構造ではあるがスクリーン５を「上昇」操作可能とするようぜんまいばね９２（付勢部材）及び操作プーリー９３が対称的に作動するよう構成される第２の操作装置９Ｌが取着され（図１０（ａ）参照）、その操作装置９Ｌからスクリーン５の前後から操作可能に垂下させる一対の操作コード７Ａ，７Ｂが垂下されている。第２の操作装置９Ｌにおける一対の操作コード７Ａ，７Ｂの下端にはそれぞれ第１グリップ８Ａ及び第２グリップ８Ｂが取着されている。即ち、本実施形態では、第２の操作装置９Ｌにおける一対の操作コード７Ａ，７Ｂの操作により、巻取軸６の回転を操作してスクリーン５を「上昇」操作可能としている。
【００５６】
このように、第１の操作装置９Ｒにおける一対の操作コード７Ａ，７Ｂはスクリーン５の閉操作用として構成され、第２の操作装置９Ｌにおける一対の操作コード７Ａ，７Ｂはスクリーン５の開操作用として構成されている。
【００５７】
このため、本実施形態の例では、巻取軸６内には第１実施形態におけるスプリングモーター１０及びストッパ部１１は設けられていない。
【００５８】
より具体的には、第１の操作装置９Ｒは、図３乃至図６に示したように、操作プーリー（第１の操作プーリー）９３と、この第１の操作プーリーに、それぞれ一端を接続し他端をスクリーン５の前後から操作可能に垂下させる一対の操作コード（第１の操作コード）７Ａ，７Ｂと、第１の操作プーリーに対して当該一対の第１の操作コードを巻き付ける方向に常に付勢するぜんまいばね（第１の付勢部材）９２と、第１の操作プーリーの一方向の回転（スクリーン５を下降させる方向）のみを巻取軸６に伝達するクラッチ部９４（第１のクラッチ部）を有している。
【００５９】
一方、第２の操作装置９Ｌは、構造として第１の操作装置９Ｒと同様であるため同一の参照番号を付して説明するが、第１の操作装置９Ｒとはぜんまいばね９２（付勢部材）及び操作プーリー９３が対称的に作動するよう構成され、操作プーリー（第２の操作プーリー）９３と、この第２の操作プーリーに、それぞれ一端を接続し他端をスクリーン５の前後から操作可能に垂下させる一対の操作コード（第２の操作コード）７Ａ，７Ｂと、第２の操作プーリーに対して当該一対の第２の操作コードを巻き付ける方向に常に付勢するぜんまいばね（第２の付勢部材）９２と、上記の第１の操作プーリーの一方向の回転とは逆方向となる第２の操作プーリーの一方向の回転（スクリーン５を上昇させる方向）のみを巻取軸６に伝達するクラッチ部９４（第２のクラッチ部）を有している。
【００６０】
尚、第１実施形態とは異なり、圧縮バネ９６１は設けられておらず、第１の操作装置９Ｒ及び第２の操作装置９Ｌにおける各クラッチ部９４の出力軸となる伝達部材９６には、スクリーン５及びウェイトバー１２による自重降下を防止するための制動力を巻取軸６の回転に付与するためのブレーキスプリング９６２が設けられている。図９は、本発明による第２実施形態の遮蔽装置としての一例であるロールスクリーンにおける第１の操作装置９Ｒ（第２の操作装置９Ｌもの同様）の概略構成を示す断面図である。ブレーキスプリング９６２は、固定軸９４１の左端側で巻き付けられて、伝達部材９６に対し制動力が付与されるようになっている。尚、本実施形態では、図９に示すように、第１実施形態に係る図３に示す出力軸９４３を伝達部材９６と一体の部品としているため、伝達部材９６は軸ホルダ９７に対して一体的に回転するように嵌合している。このため、巻取軸６は、ブレーキスプリング９６２によって制動力が付与される。尚、スクリーン５及びウェイトバー１２による自重降下を防止するための制動力を付与する制動手段は本例に限定されず、種々のやり方がある。例えば、第１の操作装置９Ｒ内や第２の操作装置９Ｌ内に制動手段を設ける代わりに、第１の操作装置９Ｒ及び第２の操作装置９Ｌ間で各固定軸９４１を連結する別の固定軸を設け、その固定軸に対してブレーキスプリングを巻き付けて、直接的に、巻取軸６に対し制動力を付与してもよい。
【００６１】
（装置動作）
図１０（ａ），（ｂ）は、それぞれ本発明による第２実施形態の遮蔽装置としての一例であるロールスクリーンにおける第２及び第１の操作装置９Ｌ，９Ｒの動作を示す側面断面図である。第２実施形態において、第１の操作装置９Ｒの動作は、上述した図１０（ｂ）に示すように、操作者は、姿勢を変えることなく第１グリップ８Ａに手が届く範囲で、図１０（ｂ）に示す操作を繰り返すことで、ウェイトバー１２を所望位置まで降下させることができるので、スクリーン５の閉操作が容易になる。
【００６２】
一方、第２の操作装置９Ｌの動作は、図１０（ａ）に示すように、操作者は、姿勢を変えることなく第１グリップ８Ａに手が届く範囲で、図１０（ａ）に示す操作を繰り返すことで、ウェイトバー１２を所望位置まで上昇させることができるので、スクリーン５の開操作が容易になる。
【００６３】
従って、本実施形態によれば、遮蔽材（本例では、スクリーン）を直接的に巻き上げ又は巻き戻すための巻取軸６を有する遮蔽装置（本例では、ロールスクリーン）において、遮蔽材に対して室内外から操作できるようになり、且つ遮蔽材の開閉操作に係る操作性を向上させることができる。
【００６４】
また、遮蔽材（本例では、スクリーン）を直接的に巻き上げ又は巻き戻すための巻取軸６を有する遮蔽装置の代わりに、遮蔽材を開閉させるための昇降コードや牽引コード等の開閉コードを巻き上げ又は巻き戻すための巻取軸を有する遮蔽装置において本発明に係る操作装置９Ｌ，９Ｒを適用することで、遮蔽材に対して室内外から操作できるようになり、且つ遮蔽材の開閉操作に係る操作性を向上させることができる。通常、横型ブラインド等に設けられる、このような開閉コードを巻き上げ又は巻き戻すための巻取軸には駆動軸が相対回転不能に挿通されており、この駆動軸に対し、上述した操作装置９，９Ｌ，９Ｒにおける各クラッチ９４の出力軸と嵌合又は一体化される伝達部材９６を相対回転不能に連結するように、上述した伝達部材９６を変形適用すればよい。
【００６５】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、ロールスクリーンに適した形状の操作装置９，９Ｌ，９Ｒの例を説明したが、種々の遮蔽装置に適した形状の操作装置を構成することができる。例えば、遮蔽材を左右方向に開閉するための遮蔽装置の例として間仕切り装置、縦型ブラインド、或いはカーテンレール等があり、遮蔽材を上下方向に開閉するための遮蔽装置の例としてロールスクリーン、横型ブラインド、たくし上げカーテン、或いはプリーツスクリーン等があるが、いずれに対しても上述した各実施形態と同一の着想下で同様の構成要素を有する操作装置９，９Ｌ，９Ｒを構成して適用することができる。従って、本発明は、叙述した実施形態の例に限定されるものではなく、特許請求の範囲によってのみ制限される。
【産業上の利用可能性】
【００６６】
本発明によれば、従来技法よりも操作性が向上するので、操作コードを用いて遮蔽材の開閉を行う遮蔽装置の用途に有用である。
【符号の説明】
【００６７】
１  取付ブラケット
２  フレーム
３  支持部材
５  スクリーン
６  巻取軸
７Ａ，７Ｂ  操作コード
８Ａ  第１グリップ
８Ｂ  第２グリップ
９  操作装置
９Ｒ  第１の操作装置
９Ｌ  第２の操作装置
１０  スプリングモーター（付勢機構）
１１  ストッパ部
１２  ウェイトバー（錘部材）
９１  固定軸部材
９２  ぜんまいばね（付勢部材）
９３  操作プーリー
９４  クラッチ部（ワンウェイクラッチ）
９５  プーリーケース
９６  伝達部材
９７  軸ホルダ
【図１】
2020084468.tif 000003
【図２】
2020084468.tif 000004
【図３】
2020084468.tif 000005
【図４】
2020084468.tif 000006
【図５】
2020084468.tif 000007
【図６】
2020084468.tif 000008
【図７】
2020084468.tif 000009
【図８】
2020084468.tif 000010
【図９】
2020084468.tif 000011
【図１０】
2020084468.tif 000012